【手続補正書】
【提出日】平成18年3月15日(2006.3.15)
【手続補正１】
【補正対象書類名】明細書
【補正対象項目名】特許請求の範囲
【補正方法】変更
【補正の内容】
【特許請求の範囲】
【請求項１】  １つ以上の弦を有する弦楽器用のチューニング手段であって、該弦又は各弦の張力を変化させる作動手段を備える、弦楽器用のチューニング手段。
【請求項２】  請求項１によるチューニング手段において、該弦又は各弦の振動に応答して信号を提供する検知手段と、前記信号に応答して前記作動手段を制御する分析手段とを備える、チューニング手段。
【請求項３】  請求項１又は請求項２によるチューニング手段において、作動手段が電気モータを備える、チューニング手段。
【請求項４】  請求項３によるチューニング手段において、モータが直流モータである、チューニング手段。
【請求項５】  請求項３又は請求項４によるチューニング手段において、作動手段が前記モータと前記弦との間に接続されたギアボックスを更に備える、チューニング手段。
【請求項６】  請求項５によるチューニング手段において、ギアボックスが遊星ギアボックスである、チューニング手段。
【請求項７】  請求項６によるチューニング手段において、遊星ギアボックスが６つの遊星段を備える、チューニング手段。
【請求項８】  請求項５乃至７の何れか１つに記載のチューニング手段において、ギアボックスが２０００：１乃至２００００：１の範囲の減速比を有する、チューニング手段。
【請求項９】  請求項１乃至８の何れか１つによるチューニング手段において、分析手段が第一のフィルタ手段を備える、チューニング手段。
【請求項１０】  請求項９によるチューニング手段において、前記第一のフィルタ手段が複数のフィルタを備える、チューニング手段。
【請求項１１】  請求項９又は請求項１０によるチューニング手段において、前記第一のフィルタ手段が形態変更可能なデジタル帯域通過フィルタを備える、チューニング手段。
【請求項１２】  請求項９乃至１１の何れか１つによるチューニング手段において、分析手段が、前記信号が前記第一のフィルタ手段に送られる前に、前記信号をデジタル信号に変換するアナログ対デジタル変換器を備える、チューニング手段。
【請求項１３】  請求項９乃至１２の何れか１つによるチューニング手段において、分析手段が、第二のフィルタ手段を備え、該第二のフィルタ手段が、前記信号が前記形態変更可能なデジタル帯域通過フィルタに送られる前に、信号を濾すアナログ帯域通過フィルタを備える、チューニング手段。
【請求項１４】  請求項１乃至１３の何れか１つによるチューニング手段において、分析手段が、該分析手段が前記信号に応答して前記作動手段を作動させる作動モード、及び分析手段が前記信号に応答して各弦のチューニング状態を示す視覚的ディスプレイを作動させる作動モードの少なくとも１つを有する、チューニング手段。
【請求項１５】  請求項１４によるチューニング手段において、作動モードが操作する人により選択可能である、チューニング手段。
【請求項１６】  請求項１４又は請求項１５によるチューニング手段において、視覚的ディスプレイ手段が発光ダイオードを備える、チューニング手段。
【請求項１７】  請求項１６によるチューニング手段において、発光ダイオードが、弦の周波数が予め設定した周波数範囲以上である場合、第一の色を示し、弦の周波数が予め設定した周波数範囲以下である場合、第二の色を示す、チューニング手段。
【請求項１８】  請求項１乃至１７の何れか１つによるチューニング手段において、チューニング手段が該弦又は各弦を半音±０．０２の範囲にチューニングするように作動可能である、チューニング手段。
【請求項１９】  請求項１乃至１８の何れか１つによるチューニング手段において、弦楽器が複数の弦を備え、前記チューニング手段が、各弦が順々にチューニングされる複数回のチューニングサイクルを行うように作動可能である、チューニング手段。
【請求項２０】  請求項１乃至１９の何れか１つによるチューニング手段において、前記弦楽器はビブラートブリッジを備える、チューニング手段。
【請求項２１】  請求項１乃至２０の何れか１つによるチューニング手段において、前記弦は一端がビブラートブリッジに連結され、前記ビブラートブリッジは前記弦楽器に枢着されて可動とされ前記弦の張力を可変ならしめてある、チューニング手段。
【請求項２２】  請求項２１によるチューニング手段において、前記ビブラートブリッジがブリッジプレート及び弦用のサドルからなり、前記作動手段が前記ビブラートブリッジに担持されている、チューニング手段。
【請求項２３】  直接又は間接に請求項３に係わる請求項２２によるチューニング手段において、前記モータが前記ブリッジプレートに取り付けられている、チューニング手段。
【請求項２４】  直接又は間接に請求項５に係わる請求項２２又は２３によるチューニング手段において、前記ギアボックスが前記ブリッジプレートに取り付けられている、チューニング手段。
【請求項２５】  請求項１乃至２４の何れか１つによるチューニング手段を有し、複数の弦を備える、ギター。
【請求項２６】  請求項２５によるギターにおいて、前記検知手段がピックアップを備える、ギター。
【請求項２７】  請求項２６によるギターにおいて、ピックアップが前記弦の全てに応答可能なコイルを備える、ギター。
【請求項２８】  請求項２６によるギターにおいて、ピックアップが、各々が前記弦の１つに応答可能な複数のコイルを備える、ギター。
【請求項２９】  請求項２５乃至２８の何れか１つによるギターにおいて、ビブラートブリッジを備えている、ギター。
【請求項３０】  請求項２５乃至２８の何れか１つによるギターにおいて、前記弦は一端がビブラートブリッジに連結され、該ビブラートブリッジはギターに枢着されて可動になされて前記弦の張力を可変にしてなる、ギター。
【請求項３１】  請求項３０によるギターにおいて、前記ビブラートブリッジはブリッジプレートと弦のためのサドルとからなり、さらに前記作動手段は前記ビブラートブリッジにより担持されている、ギター。
【請求項３２】  直接又は間接に請求項３に係わる請求項３１によるギターにおいて、前記モータは前記ブリッジプレートに取り付けられている、ギター。
【請求項３３】  直接又は間接に請求項５に係わる請求項３１又は３２によるギターにおいて、前記ギアボックスは前記ブリッジプレートに取り付けられている、ギター。
【請求項３４】  １つ以上の弦を有する弦楽器をチューニングする方法において、該弦又は各弦の張力を変化させ得るよう作動手段を作動させることを含む、方法。
【請求項３５】複数の弦を備え、該弦の各々が最初に、予め設定した周波数範囲内にチューニングされ、１つ以上の前記弦の振動に応答して信号を提供する検知手段と、前記信号に応答して分析手段により作動可能な前記弦の張力を調節する作動手段とを有するチューニング手段を備える楽器の請求項２７によるチューニング方法において、楽器の全ての弦を振動させるステップと、前記弦の１つの振動の周波数を測定することと、前記作動手段を作動させ、前記１つの弦の張力を調節し、該１つの弦の前記周波数を変化させることと、前記弦の各々に対し前記過程を繰り返すこととを含む、チューニングサイクルを行うステップとを備える、方法。
【請求項３６】  請求項３５による方法において、前記チューニングサイクルを複数回、行うことを含む、方法。
【請求項３７】  請求項３６による方法において、前記複数のチューニングサイクルの第一のもの以外のチューニングサイクルの各々が、その前のチューニングサイクルにおける前記作動手段の作動に応答して前記１つの弦の前記周波数の変化を測定するステップと、これに応じて、現在のサイクルにおける前記作動手段の作動を変化させるステップとを更に備える、方法。
【請求項３８】  分析手段が形態変更可能なフィルタを備える、請求項３４乃至３７の何れか１つによる方法において、該形態変更可能なフィルタを前記弦の１つの所望の周波数に対応する中央周波数と、前記周波数範囲に対応する幅とを有するように設定するステップを備える、方法。
【請求項３９】  前記弦の１つ以上が最初に、前記予め設定した周波数範囲外にある弦楽器の請求項３５乃至３８の何れか１つによるチューニング方法において、前記１つ以上の弦の１つを振動させるステップと、前記フィルタを中央周波数を有するように設定するステップと、前記中央周波数を増大させ、前記１つの弦の周波数を識別するステップと、前記弦のチューニング状態を視覚的に表示するステップという事前のステップを備える、方法。
【請求項４０】  請求項３４乃至３９の何れか１つによる方法において、チューニング手段が請求項１乃至２５の何れか１つによるチューニング手段を備える、方法。
【請求項４１】  請求項３４乃至４０の何れか１つによる方法において、弦楽器が請求項２５乃至３３の何れか１つによるギターから成る、方法。